(57)【要約】【課題】タッチパネルを利用したプレゼンテーション等を円滑に行える情報表示装置を提供する。【解決手段】タッチパネル２への接触に基づいて表示内容を編集可能な情報表示装置１である。タッチパネルに接触したか否かを判定する接触判定部２２と、接触判定部によって判定されたタッチパネルに接触した軌跡を、入力画像としてタッチパネルに表示する画像編集部２４とを備えている。画像編集部は、入力画像を所定時間の経過後にタッチパネルから自動的に消去する。【選択図】図２
2015018426.tif 000002
【特許請求の範囲】
【請求項１】
タッチパネルへの接触に基づいて表示内容を編集可能な情報表示装置であって、
前記タッチパネルに接触したか否かを判定する接触判定部と、
前記接触判定部によって判定された前記タッチパネルに接触した軌跡を、入力画像として前記タッチパネルに表示する画像編集部とを備え、
前記画像編集部は、前記入力画像を所定時間の経過後に前記タッチパネルから自動的に消去することを特徴とする情報表示装置。
【請求項２】
請求項１に記載の情報表示装置であって、
前記画像編集部は、前記タッチパネルの表示内容に対して前記タッチパネルに接触した軌跡を、入力画像として前記タッチパネルに合成して表示することを特徴とする情報表示装置。
【請求項３】
請求項１又は２に記載の情報表示装置であって、
前記タッチパネルへの接触動作が複数回行われた場合、前記接触動作ごとに入力時刻情報を記憶する記憶部をさらに備え、前記画像編集部は、記憶された前記入力時刻情報に基づいて、前記接触動作に対応した前記入力画像を前記タッチパネルから消去することを特徴とする情報表示装置。
【請求項４】
請求項１〜３のいずれか１項に記載の情報表示装置であって、
前記タッチパネルへの接触動作の入力時刻情報を複数区間に分割して記憶する記憶部をさらに備え、前記画像編集部は、分割して記憶された前記入力時刻情報に基づいて、前記接触動作に対応した前記入力画像を前記タッチパネルから消去することを特徴とする情報表示装置。
【請求項５】
請求項１〜４のいずれか１項に記載の情報表示装置であって、
所定の操作が行われた場合、前記画像編集部は、前記タッチパネルから消去された入力画像を前記タッチパネルに再び表示することを特徴とする情報表示装置。
【請求項６】
請求項１〜５のいずれか１項に記載の情報表示装置であって、
前記タッチパネルから自動的に消去する前に、前記画像編集部は、前記入力画像を、前記タッチパネルの表示内容に用いた色よりも薄い色に変更して前記タッチパネルに表示することを特徴とする情報表示装置。
【請求項７】
請求項１〜６のいずれか１項に記載の情報表示装置であって、
前記タッチパネルへの接触動作の入力時刻情報を複数区間に分割して記憶する記憶部をさらに備え、前記タッチパネルから自動的に消去する前に、前記画像編集部は、分割して記憶された前記入力時刻情報に基づいて、前記接触動作に対応した前記入力画像を、前回の前記入力画像に用いた色よりも薄い色に変更して前記タッチパネルに表示することを特徴とする情報表示装置。
【発明の詳細な説明】
【技術分野】
【０００１】
本発明は、情報表示装置に関し、詳細には、タッチパネルへの接触に基づいて表示内容を編集可能な情報表示装置に関する。
【背景技術】
【０００２】
この種の情報表示装置は、プレゼンテーション、会議、授業や講義などに広く利用されており、タッチセンサをディスプレイ上に設けた大型のタッチパネルを有している。外部機器等からの資料画像をディスプレイに表示しておき、ユーザの指又はタッチペン等でタッチパネルに触れると、その触れた位置に手書きの文字や記号等の図形を書き込むことができる。
【０００３】
例えば、特許文献１には、タッチパネルを利用する場合、手書きの文字や記号等の図形を書き込み可能な編集モードに設定できる技術が提案されている。これにより、タッチパネルに接触した軌跡は、発表者が注意を促したい箇所として強調表示され、参加者に注目させることができる。
【先行技術文献】
【特許文献】
【０００４】
【特許文献１】特開２００４−９４６７９号公報
【発明の概要】
【発明が解決しようとする課題】
【０００５】
ところで、上記の強調表示は、プレゼンテーション等の進行に合わせて一時的に行われるものであり、永続的に保持する必要はない。
しかしながら、特許文献１の技術では、強調表示がタッチパネルから消去されずに表示し続けるので、その強調表示を行う前の内容が見え難くなり、プレゼンテーション等の妨げになるという問題がある。また、強調表示をタッチパネルから消去するための操作が別途必要になり、発表者の集中力が削がれ、この点もプレゼンテーション等の妨げになる。
【０００６】
本発明は、上述の如き実情に鑑みてなされたもので、タッチパネルを利用したプレゼンテーション等を円滑に行える情報表示装置を提供することを目的とする。
【課題を解決するための手段】
【０００７】
上記課題を解決するために、本発明の第１の技術手段は、タッチパネルへの接触に基づいて表示内容を編集可能な情報表示装置であって、前記タッチパネルに接触したか否かを判定する接触判定部と、前記接触判定部によって判定された前記タッチパネルに接触した軌跡を、入力画像として前記タッチパネルに表示する画像編集部とを備え、前記画像編集部は、前記入力画像を所定時間の経過後に前記タッチパネルから自動的に消去することを特徴としたものである。
【０００８】
第２の技術手段は、第１の技術手段において、前記画像編集部は、前記タッチパネルの表示内容に対して前記タッチパネルに接触した軌跡を、入力画像として前記タッチパネルに合成して表示することを特徴としたものである。
【０００９】
第３の技術手段は、第１または第２の技術手段において、前記タッチパネルへの接触動作が複数回行われた場合、前記接触動作ごとに入力時刻情報を記憶する記憶部をさらに備え、前記画像編集部は、記憶された前記入力時刻情報に基づいて、前記接触動作に対応した前記入力画像を前記タッチパネルから消去することを特徴としたものである。
【００１０】
第４の技術手段は、第１から第３のいずれか１の技術手段において、前記タッチパネルへの接触動作の入力時刻情報を複数区間に分割して記憶する記憶部をさらに備え、前記画像編集部は、分割して記憶された前記入力時刻情報に基づいて、前記接触動作に対応した前記入力画像を前記タッチパネルから消去することを特徴としたものである。
【００１１】
第５の技術手段は、第１から第４のいずれか１の技術手段において、所定の操作が行われた場合、前記画像編集部は、前記タッチパネルから消去された入力画像を前記タッチパネルに再び表示することを特徴としたものである。
【００１２】
第６の技術手段は、第１から第５のいずれか１の技術手段において、前記タッチパネルから自動的に消去する前に、前記画像編集部は、前記入力画像を、前記タッチパネルの表示内容に用いた色よりも薄い色に変更して前記タッチパネルに表示することを特徴としたものである。
【００１３】
第７の技術手段は、第１から第６のいずれか１の技術手段において、前記タッチパネルへの接触動作の入力時刻情報を複数区間に分割して記憶する記憶部をさらに備え、前記タッチパネルから自動的に消去する前に、前記画像編集部は、分割して記憶された前記入力時刻情報に基づいて、前記接触動作に対応した前記入力画像を、前回の前記入力画像に用いた色よりも薄い色に変更して前記タッチパネルに表示することを特徴としたものである。
【発明の効果】
【００１４】
本発明によれば、所定時間が経過した場合、入力画像はタッチパネルから自動的に消去されるので、その入力前の表示内容が見え難くならない。また、発表者の集中力も削がれずに済むため、タッチパネルを利用したプレゼンテーションが円滑に行われる。この結果、ユーザにとって使いやすい情報表示装置を提供することができる。
【図面の簡単な説明】
【００１５】
【図１】本発明による情報表示装置の正面図である。
【図２】本発明による情報表示装置の構成を表すブロック図である。
【図３】本発明によるモード切り替え時の動作を説明するフローチャートである。
【図４】図３の強調表示モードの動作を説明するフローチャートである。
【図５】図３の強調表示モードによる表示を説明する図である。
【図６】図３の強調表示モードによるタッチ動作記録を説明する図である。
【図７】図３の強調表示モードによる入力画像の消去を説明する図である。
【図８】図３の強調表示モードによる入力画像の消去を説明する図である。
【図９】図３の強調表示モードによる入力画像の更新・消去を説明する図である。
【発明を実施するための形態】
【００１６】
（第１の実施形態）
以下、図面を参照しながら本発明の情報表示装置について説明する。図１は、本発明による情報表示装置の正面図である。情報表示装置１は、電子会議システムに利用されるタッチパネル２を有する。タッチパネル２は、後述するタッチセンサ及び例えば、液晶のディスプレイを有し、液晶層やガラス基板などを有した矩形のＬＣＤ（Liquid Crystal Display）パネルや保護ガラス、さらに、例えば、ＬＥＤを平面的に並べた直下型のバックライト等を備えている。なお、ディスプレイは電子ペーパーであってもよく、バックライトをエッジライト型で構成してもよい。
【００１７】
タッチパネル２の正面の周縁や外周面は、枠形の前キャビネット１１で押さえられ、タッチパネル２の背面は、箱形の後キャビネット（図示省略）で覆われている。タッチパネル２は、例えば、フロアスタンド４を介して部屋の床などの上に設置可能に構成されている。
【００１８】
図２は、本発明による情報表示装置の構成を表すブロック図である。情報表示装置１は、タッチパネル２及び情報処理装置３からなる。タッチパネル２は、例えば、透明抵抗膜式のタッチセンサ１０と、上述した液晶のディスプレイ１２とで構成され、ディスプレイ１２の上にタッチセンサ１０を設けて形成されている。タッチセンサ１０は、指又はタッチペン等の接触を検知するセンサである。検知方式は、赤外線カメラ方式、赤外線遮断検出方式、静電容量式、電磁誘導式などで構成してもよい。
【００１９】
情報処理装置３からの指示に基づき、例えば、資料画像などがディスプレイ１２に表示される。ディスプレイ１２には、表示用の直交座標系が設定され、画素がこの座標系に沿ってマトリクス状に配列されている。画素の位置は情報処理装置３に出力され、例えば、記憶部２１に記憶される。
一方、タッチセンサ１０は透明電極を有し、透明電極には、入力用の直交座標系が設定されている。この直交座標系は表示用の直交座標系に対応している。
【００２０】
情報処理装置３は、記憶部２１の他、制御部２０、接触判定部２２、モード設定部２３、画像編集部２４、Ｉ／Ｆ２５等を有し、これらはバス２６を介して接続される。
制御部２０は、例えば、１あるいは複数個のＣＰＵ（Central Processing Unit）等からなり、記憶部２１の例えば、ＲＯＭに格納されている各種のプログラムやデータをＲＡＭにロードし、このロードしたＲＡＭ内のプログラムを実行する。これにより、ユーザからの指示内容等に基づいて情報表示装置１の全体の動作を制御する。
【００２１】
また、制御部２０は、情報表示装置１を操作するためのＧＵＩ（グラフィカルユーザインタフェース）をディスプレイ１２に表示させる。
接触判定部２２は、例えば、シングルタップやフリック等のタッチパネル２へのタッチ操作や、手書き等の図形を入力する場合のような、タッチパネル２へのタッチ動作を検出する。検出結果は上記表示用の直交座標系に変換され、画像編集部２４に出力される。
【００２２】
このタッチ動作による軌跡は、接触位置や時刻で記憶部２１に記憶される。なお、この時刻は、タッチ動作中の全ての時刻、若しくはタッチ動作の開始時刻、又は終了時刻だけでもよい。
また、接触判定部２２は、後述するタッチパネル２の所定位置に接触したか否かなどを判定可能である。判定結果はモード設定部２３に出力される。
【００２３】
モード設定部２３は、この判定結果を受け取った場合、現在の操作モード（例えば、強調表示モード）を別の操作モード（例えば、通常表示モード）に切り替え、切り替え後の操作モードに沿った処理、具体的には、強調表示モードに設定された場合に、接触位置への描画処理を画像編集部２４に指示する。なお、上記の接触判定部が、タッチパネル２の所定位置に接触したか否かなどを判定するとともに、操作モードを切り替えてもよい。
【００２４】
画像編集部２４は、接触判定部２２やモード設定部２３からの指令に応じて、資料や手書き等の画像データを記憶部２１から呼び出し、ＲＯＭに格納された所定のプログラムにしたがって、後述のように資料画像と手書き等の入力画像とをディスプレイ１２に合成する。これにより、発表者が強調したい表示箇所をタッチ操作で簡便に指し示すことが可能となり、情報表示装置１のユーザは、合成後の画像をタッチパネル２で見ることができる。
【００２５】
また、画像編集部２４は、上記のようにタッチ動作による軌跡を入力画像としてタッチパネル２に表示する他、この入力画像を所定時間の経過後にタッチパネル２から自動的に消去している。
制御部２０は、Ｉ／Ｆ２５を介して複合機やパーソナルコンピュータ（ＰＣ）等の外部機器（図示省略）に接続可能である。その接続には、短距離無線通信、ネットワーク接続、シリアル接続等の手法を用いることができる。情報表示装置１がＰＣを搭載していてもよい。
【００２６】
図３は、本発明によるモード切り替え時の動作を説明するフローチャートであり、図４は、図３の強調表示モードの動作を説明するフローチャートである。
接触判定部２２は、ユーザがタッチパネル２の所定位置、例えば、タッチパネル２の輪郭付近に触れているか否かを判定する（図３のステップＳ３０１）。例えば、図１に示すモード切り替え領域１４は、前キャビネット１１の輪郭線に沿って帯状に形成されている。
【００２７】
ユーザがモード切り替え領域１４に触れた場合（図３のステップＳ３０１のＹＥＳ）、モード設定部２３は、現在設定されている操作モードが強調表示モードであるか否かを判定する（ステップＳ３０２）。強調表示モードであった場合（ステップＳ３０２のＹＥＳ）、モード設定部２３は通常表示モードに切り替え（ステップＳ３０３）、例えば、シングルタップやフリック等のタッチパネル２へのタッチ操作を受付可能にする。
【００２８】
なお、この通常表示モードでは、タッチパネル２へのタッチ操作で外部機器への入力操作も実施可能である。
これに対し、現在設定されている操作モードが通常表示モードであった場合（図３のステップＳ３０２のＮＯ）、モード設定部２３は強調表示モードに切り替える（ステップＳ３０４）。これにより、通常表示モードの設定時に禁止されていた手書き等の入力画像は、タッチパネル２へのタッチ動作に基づいて入力可能になる。
【００２９】
具体的には、図４に示すように、接触判定部２２は、例えば、発表者の指によるタッチパネル２へのタッチ動作を読み取り（ステップＳ４０１）、画像編集部２４は、ディスプレイ１２の資料画像とタッチセンサ１０で検出されたタッチ動作の軌跡とをタッチパネル２に合成して表示する。
【００３０】
図５は、図３の強調表示モードによる表示を説明する図である。例えば、アルファベットのＡ〜Ｈの８文字で記載された資料画像３１がディスプレイ１２に表示され、発表者がそのうちのアルファベットのＣ，Ｄの２文字を強調したい場合を想定する。この場合、画像編集部２４は、資料画像３１のアルファベットのＣ，Ｄを、例えば、時計回りの円形で囲んだタッチ動作の軌跡を手書き等の入力画像３２として作成する。そして、資料画像３１に入力画像３２を重ねた合成画像３３を作成してタッチパネル２に表示している。なお、複数層の入力画像を資料画像３１に重ね合わせることも可能である。
【００３１】
発表者の指がタッチパネル２に触れ、例えば、時計回りで円形を描いてから離れ、接触判定部２２がタッチ動作の終了を判定した場合（図４のステップＳ４０２のＹＥＳ）、このタッチ動作が記憶部２１に記憶される（ステップＳ４０３）。
【００３２】
図６は、図３の強調表示モードによるタッチ動作記録を説明する図である。
記憶部２１には、軌跡データ及び時刻データがタッチ動作ごとに記憶されている。図５で説明した入力画像３２の例でいえば、軌跡データは、最初に触れた位置から時計回りに移動して最後に触れていた位置までの入力位置情報であり、時刻データは、これら各位置に対応した入力時刻情報である。
【００３３】
なお、図６では、タッチ動作が４回行われた場合の例を示しており、記憶部２１には、タッチ動作ごとに軌跡データや時刻データを記憶することができる。
また、記憶部２１には、１つのタッチ動作の時刻データを複数区間に分割して記憶することも可能である。例えば、ユーザが時刻データを３分割で設定していた場合、時刻データには、上記の入力時刻情報の他、分割の基準時刻情報についても記憶されている。
【００３４】
そして、画像編集部２４は、記憶された時刻データに基づいて入力画像の消去に移行する（図４のステップＳ４０４〜Ｓ４０６）。具体的には、タッチ動作の開始あるいはタッチ動作の終了から所定時間が経過した場合（ステップＳ４０５のＹＥＳ）、この入力画像をタッチパネル２から自動的に消去している（ステップＳ４０６）。なお、ステップＳ４０４に記載の入力画像の更新とは、後述のような入力画像の色を変更する場合などが該当する。
【００３５】
図７は、図３の強調表示モードによる入力画像の消去を説明する図である。この図は、図５で説明した入力画像３２であるが、図７（Ａ）では、この入力画像の時刻データが分割されていない例を示している。このため、図７（Ａ）の入力画像は、例えば、タッチ動作の開始点Ｐの時刻から所定時間（例えば１０秒間）が経過した場合、この入力画像の全体がタッチパネルから同時期に消える。
【００３６】
これに対し、図７（Ｂ）では、入力画像の時刻データがｔ１，ｔ２，ｔ３の３つに分割されている。このため、図７（Ｂ）の入力画像は、タッチ動作の開始時刻ｔ１から所定時間（例えば１０秒間）が経過した場合、この入力画像のうち時刻ｔ１〜ｔ２に相当する区間が消え、続いて、時刻ｔ２から所定時間（例えば１０秒間）が経過した場合、この入力画像のうち時刻ｔ２〜ｔ３に相当する区間が消え、その後、時刻ｔ３から所定時間（例えば１０秒間）が経過した場合、この入力画像のうち時刻ｔ３以降に相当する区間が消える。
【００３７】
このように、所定時間が経過した場合、入力画像はタッチパネル２から自動的に消去されるので、その入力前の資料画像が見え難くならない。また、発表者の集中力も削がれずに済むため、タッチパネル２を利用したプレゼンテーションが円滑に行われる。この結果、ユーザにとって使いやすい情報表示装置を提供することができる。
また、入力画像を、分割して記憶された時刻データに基づいてタッチパネル２から次第に消去できれば、例えば、先に入力した部分から順に消すことができる。
【００３８】
（第２の実施形態）
図８は、図３の強調表示モードによる入力画像の消去を説明する図であり、画像編集部２４は、複数のタッチ動作を先に入力した画像から順に消去可能であるが、１つのグループとして管理することもできる。詳しくは、画像編集部２４は、直前のタッチ動作の終了から所定時間（例えば２秒間）経過前に、次のタッチ動作が開始された場合、これらのタッチ動作をグループとして認識している。これにより、図８の例の入力画像は、タッチ動作の開始点Ｑ，Ｒ，Ｓとした３本の異なる直線から構成されているが、画像編集部２４は、例えば、開始点Ｓに関するタッチ動作の終了時刻から所定時間（例えば１０秒間）が経過した場合、これら３つの入力画像を同時期に消去することもできる。
【００３９】
なお、上記のように、モード切り替え領域１４に触れた場合には、強調表示モードは通常表示モードに切り替わるので、入力画像は、特定の操作、例えばモードモード切り替え領域１４に触れた場合、タッチパネル２から直ちに消去されてもよい。
また、上記の入力画像は所定時間経過後にタッチパネル２から消えても記憶部２１には残っている。そこで、画像編集部２４は、タッチパネル２から消去された入力画像を記憶部２１から呼び出してタッチパネル２に再び表示することも可能である。この場合、例えば、元に戻すボタンをタッチパネル２に設けておく、若しくは、元に戻すボタンに関する履歴を表示可能にし、再表示を希望する入力画像をユーザに選択させてもよい。これにより、例えば、文章の入力画像がであっても、文章の全体を速やかに表示し直すことができる。
【００４０】
（第３の実施形態）
ところで、上記実施例では、入力画像を消去する例を挙げて説明したが、資料画像を見え難くしない点を鑑みれば、画像編集部２４は、入力画像を、タッチパネルの表示内容に用いた色よりも薄い色に変更してタッチパネルに表示してもよい。
詳しくは、画像編集部２４が、まず、タッチパネル２に表示された入力画像の色を、例えば、ＲＧＢ値で検出し、記憶部２１に記憶された資料画像の色と比較して薄い色に変更する。また、画像編集部２４は、この入力画像の色についても、直前の入力画像の色と比較して薄い色に変更可能である。
【００４１】
図９は、図３の強調表示モードによる入力画像の更新・消去を説明する図であり、時刻データがｔ１，ｔ２，ｔ３に３分割されている入力画像の例で説明すると、画像編集部２４は、タッチ動作の開始時刻ｔ１から所定時間（例えば５秒間）が経過した場合、この入力画像のうち時刻ｔ１〜ｔ２に相当する区間が薄い色に変わる。続いて、時刻ｔ２から所定時間（例えば５秒間）が経過した場合、図９に示すように、時刻ｔ１〜ｔ２に相当する区間がさらに薄い色に変わると共に、入力画像のうち時刻ｔ２〜ｔ３に相当する区間が薄い色に変わる。
【００４２】
次いで、時刻ｔ３から所定時間（例えば５秒間）が経過した場合、時刻ｔ１〜ｔ２に相当する区間が消え、時刻ｔ２〜ｔ３に相当する区間がさらに薄い色に変わると共に、入力画像のうち時刻ｔ３以降に相当する区間が薄い色に変わる。そして、時刻ｔ２〜ｔ３に相当する区間が消えた後、時刻ｔ３以降に相当する区間が消えてもよく、先に入力した部分から順に色を変えることができる。なお、本発明による色の変更とは、透明度、色相、彩度、明度の少なくともいずれかの変更を指す。
【００４３】
また、タッチ動作が複数回行われた場合、画像編集部２４は、記憶されたタッチ動作ごとの時刻データに基づいて、各タッチ動作に対応した入力画像を、タッチパネルの表示内容に用いた色よりも薄い色に変更して表示した後、タッチパネルから消去してもよい。
なお、上記実施例では、資料画像と入力画像とを合成してタッチパネルに表示する例を挙げて説明したが、資料画像に直接に入力画像を入力することも可能である。
【符号の説明】
【００４４】
１…情報表示装置、２…タッチパネル、３…情報処理装置、４…フロアスタンド、１０…タッチセンサ、１１…前キャビネット、１２…ディスプレイ、１４…モード切り替え領域、２０…制御部、２１…記憶部、２２…接触判定部、２３…モード設定部、２４…画像編集部、２５…Ｉ／Ｆ、２６…バス、２７…入力部、３１…資料画像、３２…入力画像、３３…合成画像。
【図１】
2015018426.tif 000003
【図２】
2015018426.tif 000004
【図３】
2015018426.tif 000005
【図４】
2015018426.tif 000006
【図５】
2015018426.tif 000007
【図６】
2015018426.tif 000008
【図７】
2015018426.tif 000009
【図８】
2015018426.tif 000010
【図９】
2015018426.tif 000011